(57)【要約】      （修正有）【課題】エレベーター内の異常をエレベーター近辺に知らせるとともに、通報等を行う装置であり、平常時には、エレベーターの扉を利用して広告宣伝を行うことが可能なエレベーター警報装置を提供する。【解決手段】エレベーターの扉およびその周辺にスクリーン３０１とスピーカー３０２を敷設し、映像受信機能を有するプロジェクター等の映像投射機に映像配信可能なサーバー１０１等を備えた情報センター１から映像や音声を配信し、エレベーター扉のスクリーンおよびスピーカーを再生することにより、警報装置および視認効果に優れた広告装置。【選択図】図１
2011046527.tif 000002
【特許請求の範囲】
【請求項１】
本発明のエレベーター警報装置は、エレベーター扉または扉付近にスクリーンおよびスピーカーを有し、該スクリーンおよびスピーカーに映像や音声を再生することが可能なプロジェクター等の映像投射装置を有することを特徴とするエレベーター警報装置。
【請求項２】
請求項１に記載の映像投射装置は、映像および音声受信装置を有し、映像および音声受信装置が受信した映像および音声をエレベーター扉に再生可能であることを特徴とする請求項１に記載のエレベーター警報装置。
【請求項３】
請求項２に記載の映像および音声受信装置は情報センターとインターネット等の通信ネットワークにより通信が可能であり、情報センターが有する映像および音声配信サーバーから配信される警報映像および音声や広告宣伝映像および音声を受信することが可能であることを特徴とする請求項１から２いずれかに記載のエレベーター警報装置。
【請求項４】
エレベーターかご内に非常ボタンを有し、該非常ボタンは請求項３に記載の情報センターとインターネット等の通信ネットワークにより通信可能な状態にあり、利用者がエレベーターかご内で異常事態に遭遇した際に、非常ボタンを押すと、情報センターに通報が受信され、警報発生装置を駆動され、警備員の招集や警察や警備会社への通報を行うとともに、映像および音声配信サーバーより請求項３に記載の映像および音声受信装置に警告映像および警報音を配信し、請求項２に記載の映像投射装置により、該警告映像および警報音をエレベーター扉のスクリーンおよびスピーカーに再生し、エレベーター周囲の人々に異常を知らせることが可能であることを特徴とする請求項１から３いずれかに記載のエレベーター警報装置。
【請求項５】
エレベーターかご内にカメラを有し、該カメラはエレベーターかご内を撮影しており、インターネット等の通信ネットワークにより情報センターと通信可能な状態にあり、情報センターから撮影位置を操作することができ、また、撮影された映像が情報センターに送信され記憶され、情報センターにて視聴可能であることを特徴とする請求項１から４いずれかに記載のエレベーター警報装置。
【請求項６】
エレベーター扉に開閉センサーを有し、請求項２に記載の映像投射装置が、該開閉センサーが発信する開閉信号を付随する制御装置により受信し、エレベーター扉の開放時には映像投射を中止し、エレベーター扉の閉鎖時に映像投射を再開することが可能であることを特徴とする請求項１から５いずれかに記載のエレベーター警報装置。
【請求項７】
エレベーター扉または扉付近に赤外線等の人感知センサーを有し、請求項２に記載の映像投射装置が人感知センサーの発信する信号を付随する制御装置により受信し、エレベーター扉の前に人がいる時には映像投射をし、人がいない時には映像投射を停止することが可能であることを特徴とする請求項１から５いずれかに記載のエレベーター警報装置。
【発明の詳細な説明】
【技術分野】
【０００１】  本発明は、エレベーター警報装置に関する。さらに詳しくは、エレベーター内で事故や犯罪等の異常が発生した際に、エレベーター近辺にその異常を知らせるとともに、通報等を行う装置であり、平常時には、エレベーターの扉を利用して広告宣伝を行うことが可能なエレベーター警報装置に関する。
【背景技術】
【０００２】  エレベーター内での暴行等の犯罪は増加し、その内容も凶悪になりつつある。そこで従来のエレベーターは、エレベーターかご内で事故や犯罪等の異常が発生した際に管理センター等に知らせる警報装置を有しており、利用者の安全性を高めるために、警報装置の改良も行われている。しかし、従来の警報装置では、すでに犯罪等が行われている異常な状態にあるエレベーターに、その異常事態を知らずにエレベーターを待っていた別の利用者が犯人に遭遇してしまい、二次犯罪の発生の危険が払拭できない等の問題点は改善されていない。【０００３】  また、エレベーターを利用しての広告宣伝に関しては、エレベーターかご内や乗り場の操作ボタン付近に液晶モニター等の表示装置を設け、エレベーター利用者に向けて広告宣伝を行う技術はある（特許文献１、特許文献２）。しかし、液晶モニターを利用して広告宣伝を行う方法が主流であり、設置に費用がかかるという問題点があった。また、設置場所としては、かご内や乗り場の操作ボタンパネル付近に設置するのが主流であり、エレベーターの扉は有効活用されていないという現状がある。
【先行技術文献】
【０００４】
【特許文献１】  特開２００４−１８２４６４号公報
【特許文献２】  特開２００６−１１７３５５号公報
【発明の概要】
【発明が解決しようとする課題】
【０００５】  そこで、以上の事実を鑑み、本発明は、異常時にはエレベーター周囲にそれがわかるように迅速に警報を発することが可能であり、尚且つ平常時には効果的な広告宣伝活動を行うことができるようなエレベーターの警報装置を提供することを課題とした。
【課題を解決するための手段】
【０００６】  上記課題を解決するために、鋭意研究の結果、本発明者らは、エレベーターの扉およびその周辺にスクリーンとスピーカー敷設し、映像受信機能を有するプロジェクター等の映像投射機に映像配信可能なサーバー等を備えた情報センターから映像や音声を配信し、エレベーター扉のスクリーンおよびスピーカーを再生することにより、警報装置および視認効果に優れた広告装置を提供できることを見いだした。
【発明の効果】
【０００７】  本発明を実施すると以下の効果が得られる。
＜１＞  一般に、昇降機の扉としての機能のみを有していたエレベーターの扉に、異常時の警報機能や広告宣伝機能を付与することで、利用者に利便性や安全性を提供することが可能となる。
＜２＞  前記の警報機能に関しては、異常事態をエレベーター付近の利用者に知らせるとともに、遠隔地からも監視、通報できることから、犯罪の防止や火災や地震等の事故、災害時に緊急情報を提供できる等、社会に安全を提供することができる。
＜３＞  前記の広告宣伝機能に関しては、広告宣伝を行うことにより、エレベーターの所有者は広告主より収入を得ることができる。つまり、従来活用されていなかった資源が利益を生むことになり、経済活動に貢献することになる。ひいては、その利益の一部により諸料金引き下げやサービス内容充実が実現する等、利用者に還元される場合もある。
＜４＞  一般に行われているエレベーターかご内の広告装置の表示部としては液晶モニターが広く利用されているが、本考案は安価かつ施工が簡便なスクリーンを利用しているため、コストを抑えることができる。
【図面の簡単な説明】
【０００８】
【図１】  本発明の一実施形態の概略構成を示すブロック図である。
【図２】  本発明の一実施形態における各装置の施工配置の概念を示した全体構成図である。
【図３】  異常時の警報発生および通報経路を示したフローチャートである。
【発明を実施するための形態】
【０００９】  以下、図を用いて本発明の実施形態について説明する。なお、本発明は下記実施形態に限定されるものではなく、本発明の趣旨を逸脱しない範囲において当業者が行いうる変更、改良を施した種々の形態について実施することができる。装置全体の概略構成について説明すると、本発明は図１のブロック図および図２の全体構成図に示すように、情報センター１、映像投射装置２およびエレベーターすなわちエレベーター扉３およびエレベーターかご４から構成される。また、情報センター１、映像投射装置２、エレベーターかご４はインターネット等の通信ネットワーク５により双方向に通信が可能であることを特徴とする。情報センター１に関して説明すると、情報センター１は映像および音声配信サーバー１０１、警報発生装置１０２、通報装置１０３、映像受信および記憶装置１０４を有する。情報センター１の設営地は通信に支障がなければ特に限定せず、１つの情報センター１は複数のエレベーターに対して機能することができる。また、情報センター１には警備スタッフが常駐しており、必要に応じて警察や警備会社への通報を行い、現地での異常に対応させる。映像投射装置２に関して説明すると、本発明の映像投射装置２は映像および音声受信装置２０１と制御装置２０２とを有する。エレベーターに関して説明すると、エレベーター扉３にはスクリーン３０１およびスピーカー３０２が敷設されている。なお、スクリーン３０１およびスピーカー３０２の敷設位置はエレベーター扉３が望ましいが、エレベーター扉３付近であり、エレベーターを待つ利用者６ｂが視認できる位置であればよい。スクリーン３０１はパールスクリーン等の反射率が高く、数ミリ程度で薄手のものが望ましい。エレベーターかご４は非常ボタン４０１と、カメラ４０２と、映像送信装置４０３を有する。
【００１０】  まず、平常時の広告宣伝機能に関して説明する。図２に示すように、平常時はエレベーターを待っている利用者６ｂに対して、エレベーター扉３に敷設されたスクリーン３０１とスピーカー３０２に広告映像および音声を再生し、広告宣伝を行う。広告映像および音声は情報センター１の映像および音声配信サーバー１０１から配信される。配信された広告映像および音声は通信ネットワーク５を介してインターネット無線等により、映像投射装置２に付随している映像および音声受信装置２０１により受信される。映像投射装置２は受信された映像および音声をスクリーン３０１およびスピーカー３０２に再生し、エレベーター待ちの利用者６ｂが映像および音声を視聴するところとなる。
【００１１】  前記のように広告映像を投射している際の映像投射装置２の制御について詳しく説明する。エレベーター扉３は扉開閉センサー３０３を有し、該センサーはエレベーター扉３の開閉時にそれを知らせる信号を発信することができる。その信号は映像投射装置２が有する制御装置２０２に受信され、映像投射装置２はエレベーター扉３が開放されると映像の投影を一時中止し、エレベーター扉３が閉鎖されると映像の投影を再開するように制御装置２０２により制御される。このことにより、エレベーター扉３が開いた時に、エレベーターかご４内にいる利用者６ａに向かって映像が投影されてしまい、目を負傷する事故等を防ぐ。また、エレベーター扉３または扉付近に赤外線等の人感知センサー（図示していない）を有し、その人感知センサーの信号は制御装置２０２に受信され、映像投射装置２はエレベーター待ちの利用者６ｂがいるときには映像投射をし、利用者６ｂがいない時には映像投射２を停止する。
【００１２】  次に、異常時の警報機能に関して詳しく説明する。図３のフローチャートに示すように、異常に遭遇したエレベーターかご４の利用者６ａが非常ボタン４０１を押す（Ｓ１）。情報センター１の警報発生装置１０２が異常信号を受信して作動する（Ｓ２）。すると、映像および音声配信サーバー１０１からの広告配信が停止され（Ｓ３）、同配信サーバーから警告音および異常を示す映像が映像投射装置２の映像および音声受信装置２０１に配信される（Ｓ４）。一方で、情報センターの通報装置１０３が作動し、警備スタッフが召集される（Ｓ５）。警備スタッフがエレベーターかご４内部の映像をカメラ４０２の映像により確認し、必要に応じて警察や消防への通報を行う（Ｓ６）。
【符号の説明】
【００１３】      １      情報センター
１０１  映像および音声配信サーバー
１０２  警報発生装置
１０３  通報装置
１０４  映像受信および記憶装置
２      映像投射装置
２０１  映像および音声受信装置
２０２  制御装置
３      エレベーター扉
３０１  スクリーン
３０２  スピーカー
３０３  扉開閉センサー
４      エレベーターかご
４０１  非常ボタン
４０２  カメラ
４０３  映像送信装置
５      通信ネットワーク
６ａ    利用者（エレベーターかご内）
６ｂ    利用者（エレベーター待ち）
【図１】
2011046527.tif 000003
【図２】
2011046527.tif 000004
【図３】
2011046527.tif 000005